(57)【要約】【課題】細部清掃性に優れると同時に、毛腰が強く刷掃力があり、また先端部の裂けを防止して耐久性を高め、汚れの付着も防止できる歯ブラシ用フィラメント及びこれを植設した歯ブラシを提供せんとする。【解決手段】芯部２とこれを囲む鞘部３とよりなる芯鞘構造を有し、芯部２及び鞘部３がいずれも薬液溶解性の合成樹脂よりなり、芯部２の合成樹脂が鞘部３の合成樹脂よりも薬液溶解速度の遅い樹脂であり、先端側であるフィラメント先端部１０に、薬液溶解処理によって鞘部３から露出した芯部２よりなる複数の先鋭テーパー状の分岐部４を形成した。芯部２の断面形状は多葉形又は多葉状であり、薬液溶解処理によって鞘部３から露出する先端側が各葉部ごとに分岐して分岐部４を形成する。【選択図】図４
2010082094.tif 000002
【特許請求の範囲】
【請求項１】
単又は複数の芯部とこれを囲む鞘部とよりなる芯鞘構造を有し、前記芯部及び鞘部がいずれも薬液溶解性の合成樹脂よりなり、前記芯部の合成樹脂が前記鞘部の合成樹脂よりも薬液溶解速度の遅い樹脂であり、少なくとも一方の端部に、薬液溶解処理によって前記鞘部から露出した前記芯部よりなる複数の先鋭テーパー状の分岐部を形成してなることを特徴とする歯ブラシ用フィラメント。
【請求項２】
前記芯部の断面形状が多葉形又は多葉状であり、薬液溶解処理によって前記端部が各葉部ごとに分岐することにより前記分岐部を形成してなる請求項１記載の歯ブラシ用フィラメント。
【請求項３】
前記芯部の断面形状が、二以上の略同形葉部からなる多葉形である請求項２記載の歯ブラシ用フィラメント。
【請求項４】
前記芯部の断面形状が、特定の葉部の周りに複数の側設葉部が連結してなる多葉形である請求項２又は３記載の歯ブラシ用フィラメント。
【請求項５】
前記芯部の合成樹脂と前記鞘部の合成樹脂が、互いに同種系の樹脂である請求項１〜４の何れか１項に記載の歯ブラシ用フィラメント。
【請求項６】
前記同種系の樹脂がポリエステル樹脂である請求項５記載の歯ブラシ用フィラメント。
【請求項７】
請求項１〜６の何れか１項に記載の歯ブラシ用フィラメントを植設したことを特徴とする歯ブラシ。
【発明の詳細な説明】
【技術分野】
【０００１】
本発明は、歯ブラシ用フィラメントに係わり、更に詳しくは、細部清掃性に優れ、汚れ等が付着しにくく、耐久性にも優れる歯ブラシ用フィラメント及びこれを植設した歯ブラシに関する。
【背景技術】
【０００２】
歯ブラシのブラシ部に植設するフィラメントの歯間への進入性をよくする方法として、薬液溶解処理により先端側に先鋭テーパーを付けるものが提案されている（例えば、特許文献１参照。）。しかし、テーパーの先細り効果により毛腰が弱くなり、歯牙表面の刷掃効果が低下して刷掃実感も乏しくなり、耐久性も低下するといった問題があった。これを解消するため、ポリエステル樹脂製の鞘部にポリアミド樹脂製の２〜５の芯部を散在させ、アルカリ性溶解液に漬けて鞘部を溶かすことによりフィラメント先端側に芯部のみ露出させて複数の分岐部を形成したものが提案されている（特許文献２参照）。
【０００３】
このような複数の分岐部をフィラメント先端部に設けたものでは、一定の毛腰の強さを維持しつつ上記歯間への進入性を高め、清掃性、耐久性を高めることが可能となる。しかしながら、特許文献２のものは芯部を溶かさずに残すことで分岐部を形成することから、ポリアミド樹脂製の芯部からなる各分岐部はテーパー状の先鋭形状のものではなく、細部清掃性に一定の限界があった。
【０００４】
これに対し、フィラメント自体を薬液溶解性のポリエステル樹脂等で構成し、その断面形状を多葉形等の異型断面形状に設定することにより、薬液溶解処理によりフィラメント先端側が各葉部ごとに分岐した複数のテーパー状分岐部が形成される構造の歯ブラシ用フィラメントが提案されている（例えば、特許文献３〜７参照。）。しかし、このような溶解処理により分繊される異型断面形状のフィラメントは、葉部同士の接合部分が幅狭になり、使用中に分岐部に力が作用することで分岐部の基端側で上記接合部分から裂けてしまい、分岐が進行してしまう結果、使用できなくなるといった耐久性の問題があった。また、このような異型断面形状のフィラメントの場合、フィラメントの側面には上記葉部同士の接合部分に長手方向に沿った凹溝（凹部）が存在することとなり、特に汚れが溜まりやすいフィラメント基端側で当該凹溝内に汚れが溜まることが避けられないという衛生上の問題もある。更に、異型断面形状であるため方向によっては毛腰が弱くなるという問題もあった。
【０００５】
【特許文献１】特開平６−１４１９２３号公報
【特許文献２】特開平９−３２２８２１号公報
【特許文献３】特開２００１−１６９８２７号公報
【特許文献４】特開２００２−５８５３８号公報
【特許文献５】特開２００３−１４４２２９号公報
【特許文献６】特開２００３−１９９６２６号公報
【特許文献７】特開２００３−３３９４４５号公報
【発明の開示】
【発明が解決しようとする課題】
【０００６】
そこで、本発明が前述の状況に鑑み、解決しようとするところは、細部清掃性に優れると同時に、毛腰が強く刷掃力があり、また先端部の裂けを防止して耐久性を高め、汚れの付着も防止できる歯ブラシ用フィラメント及びこれを植設した歯ブラシを提供する点にある。
【課題を解決するための手段】
【０００７】
本発明は、前述の課題解決のために、単又は複数の芯部とこれを囲む鞘部とよりなる芯鞘構造を有し、前記芯部及び鞘部がいずれも薬液溶解性の合成樹脂よりなり、前記芯部の合成樹脂が前記鞘部の合成樹脂よりも薬液溶解速度の遅い樹脂であり、少なくとも一方の端部に、薬液溶解処理によって前記鞘部から露出した前記芯部よりなる複数の先鋭テーパー状の分岐部を形成してなることを特徴とする歯ブラシ用フィラメントを構成した。
【０００８】
ここで、前記芯部の断面形状が多葉形又は多葉状であり、薬液溶解処理によって前記端部が各葉部ごとに分岐することにより前記分岐部を形成したものが好ましい。
【０００９】
特に、前記芯部の断面形状が二以上の略同形葉部からなる多葉形であるものが好ましい。
【００１０】
また、より具体的には、前記芯部の断面形状が、特定の葉部の周りに複数の側設葉部が連結してなる多葉形であるものが好ましい実施例である。
【００１１】
また、前記芯部の合成樹脂と前記鞘部の合成樹脂が互いに同種系の樹脂であることが好ましい。
【００１２】
特に、前記同種系の樹脂がポリエステル樹脂であることが好ましい。
【００１３】
また、本発明は、上記歯ブラシ用フィラメントを植設したことを特徴とする歯ブラシをも提供する。
【発明の効果】
【００１４】
以上にしてなる本願発明に係る歯ブラシ用フィラメント及びこれを備えた歯ブラシによれば、フィラメントの少なくとも一方の端部に芯部よりなる複数の先鋭テーパー状の分岐部を有しているため細部清掃性に優れるとともに、当該分岐部を構成している芯部が薬液溶解速度の早い合成樹脂よりなる鞘部によって外側から包み込むように保護されているため、先端部の裂けが防止され、耐久性が向上することとなる。また、フィラメント側面となる鞘部の側面には凹部が不要であり、汚れの付着が防止されるとともに、先端部以外は当該鞘部により保護された非分岐部であり、どの方向にも毛腰が強く、優れた刷掃力を発揮する。
【００１５】
また、芯部断面形状が多葉形又は多葉状であり、薬液溶解処理によって前記端部が各葉部ごとに分岐することにより前記分岐部を形成したので、当該多葉形又は多葉状の芯部の葉部間の凹部に鞘部が嵌り込むように設けられることとなり、芯部と鞘部の接合強度が向上し、分岐部の裂けや鞘部の剥がれがより生じにくい耐久性に優れたフィラメントとなる。
【００１６】
また、芯部の合成樹脂と鞘部の合成樹脂が互いに同種系の樹脂であるので、相溶性により互いの接合強度が向上し、同じく分岐部の裂けや鞘部の剥がれがより生じにくい耐久性に優れたフィラメントとなる。
【発明を実施するための最良の形態】
【００１７】
次に、本発明の実施形態を添付図面に基づき詳細に説明する。
【００１８】
図１は、本発明に係るフィラメント１を植設した歯ブラシ５の全体構成を示す説明図であり、図３〜５は本発明のフィラメントの第１実施形態、図６、７は第２実施形態、図８〜１１は第３実施形態を示し、図中符号１はフィラメント、２は芯部、３は鞘部、４は分岐部をそれぞれ示している。
【００１９】
本発明の歯ブラシ用フィラメント１は、図３、４に示すように、芯部２とこれを囲む鞘部３とよりなる芯鞘構造を有し、芯部２及び鞘部３がいずれも薬液溶解性の合成樹脂よりなり、芯部２の合成樹脂が鞘部３の合成樹脂よりも薬液溶解速度の遅い樹脂であり、先端側であるフィラメント先端部１０に、薬液溶解処理によって鞘部３から露出した芯部２よりなる複数の先鋭テーパー状の分岐部４を形成したものであり、分岐部４の存在により細部清掃性に優れると同時に、鞘部３で外層を保護していることから汚れ等が付着しにくく、分岐部４が裂けてしまうことも防止でき、耐久性にも優れたフィラメントである。
【００２０】
図１、２は、本発明に係るフィラメント１を植設した歯ブラシ５を示しており、柄５０の先端植毛部５１にフィラメント１，…が群立して植毛されている。フィラメント１は、図３に示すように植毛状態における毛丈Ｈの約二倍より若干長い寸法Ｌに切断した後、その両端部にそれぞれ複数の先鋭テーパー状の分岐部４を形成したものであり、フィラメント１の長さＬは好ましくは約２５ｍｍ〜約３５ｍｍであるが、この範囲に限定するものではない。このように両端に分岐部４を形成したフィラメント１を、複数本ずつ束にして略中央で折り曲げ、その折り曲げ部を植毛部５１に植毛することで図１に示す歯ブラシ５が形成される。なお、本実施形態ではフィラメント両端に分岐部４を形成しているが、一端のみ分岐部を設けて他端側を植毛部に埋設させるように植毛するものでもよい。また、一端のみ分岐部を設けて、他端側はそのまま或いは機械的研磨によりテーパー形状としたものを略中央で折り曲げて植毛するものでもよい。さらに、本実施形態では分岐部４を形成した後にフィラメントを植毛しているが、植毛後に溶解液に浸漬して先鋭テーパー状の分岐部４を形成するものでもよい。
【００２１】
尚、フィラメントの植毛方法については、従来からの方法を広く用いることができ、例えばフィラメントを１０〜４０本束ねて中央位置に平線を押し当て、フィラメント束をＵ字変形させながら植毛穴に打ち込む方法や、このような平線を用いず、フィラメント基端側を溶融して植毛穴に埋設接合させる方法などを用いることができる。また、歯ブラシ５の柄５０は一例を示すものであり、これに限定するものではなく様々な形でよい。また、植毛部５１のフィラメント１の植毛孔の配置についても様々な配置形態を採用できる。また、植毛部５１には、すべてのフィラメントを本発明に係るフィラメント１としてもよいし、そのなかで形態の異なるものを混在させてもよい。また一部のみ本発明に係るフィラメント１を採用し、他を従来からのフィラメントとしてもよく、目的に応じて使い分けできる。
【００２２】
まず、図３〜５に基づき、本発明の歯ブラシ用フィラメント１の第１実施形態について説明する。
【００２３】
本実施形態のフィラメント１は、図４（ｆ）のＶ−Ｖ断面図に示すように芯部２の断面
形状が葉部２０を複数有する多葉形であり、その周囲を囲むように鞘部３が設けられ、全体として略円形の断面形状を有している。より詳しくは、芯部２の断面形状は二以上の略同形葉部２０からなる多葉形であって本例では同じ大きさ（断面積）の３つの葉部２０が集合一体化した形である。このような同じ形状大きさの複数の葉部２０よりなる多葉形断面の芯部２は、図４（ａ），（ｂ）に示すように薬液溶解処理により鞘部３から露出する先端側が各葉部２０ごとに分岐し、これによりほぼ同一長さの複数の分岐部４がフィラメント先端部１０に形成されることとなる。
【００２４】
すなわち、フィラメント先端側の分岐部４の作製は、まず図４（ｆ）の芯鞘構造を有する多数のフィラメントを所定長さに切断し、耐薬液溶解性のフィルムを巻いて束ね、それを溶解液（薬液）に浸漬する。芯部２及び鞘部３はいずれも薬液溶解性の合成樹脂よりなり、同一薬液に対する溶解速度が芯部２よりも鞘部３の方が速いため、フィルム端部から浸入した溶解液によって芯部２と鞘部３が同時に溶け出すものの徐々に芯部２が露出し、露出した芯部２は各葉部２０ごとに複数に分岐して分岐部４（分岐毛）が形成される。分岐部４は先鋭なテーパー状に形成され、芯部２が露出している鞘部３の端部もテーパー状に形成されることとなる。
【００２５】
芯部２の合成樹脂と鞘部３の合成樹脂は、互いに同種系の樹脂であれば、相溶性による相互の密着性に優れ、鞘部３の先端側からの剥がれや分岐部４の使用による裂けを防止できる。たとえば、アルカリ性溶解液を用いる場合には、芯部２と鞘部３としては、ポリブチレンテレフタレート（ＰＢＴ）、ポリエチレンテレフタレート（ＰＥＴ），ポリトリメチレンテレフタレート（ＰＴＴ），ポリエチレンナフタレート（ＰＥＮ），ポリエステルエラストマー、またはこれらの混合樹脂を、薬液溶解性に応じて適宜組み合わせて用いることができる。アルカリ性溶解液としてはポリエステル樹脂の場合、カセイソーダ水溶液を用いることが好ましい。また、芯部２と鞘部３をポリアミド樹脂の組み合わせとし、酸性溶解液を用いて分岐部を作製することもできる。その他の薬液溶解性樹脂の組み合わせを用いることも勿論可能である。
【００２６】
ほぼ同一長さの複数の分岐部４を形成する芯部２の構成としては、本例のように３つの葉部２０からなるものに何ら限定されず、例えば図５（ａ），（ｂ）に示すように葉部２０が４つ以上又は２つのものでも同様に分岐させることができ、図５（ｃ）に示すように多葉断面の芯部２を２つ以上組み合わせて、各芯部２の分岐部を合わせた複数（図示したものでは各芯部２で２つの分岐部が形成され、合計４つの分岐部となる）の分岐部をフィラメント先端部に形成するものも好ましい実施例である。また、図５（ｄ）に示すように単葉断面の芯部２Ａと、これとほぼ同一形状の葉部２０、２０を有する多葉断面の芯部２Ｂを組み合わせ、芯部２Ａによる先端露出した部分と芯部２Ｂにより形成される各分岐部を合わせた複数（図示したものでは芯部２Ｂで２つの分岐部が形成され、合計３つの分岐部となる）の分岐部をフィラメント先端部に形成するものも好ましい実施例である。なお、本例ではいずれも多葉断面形状は複数の葉部２０がいずれも略円形で、互いに円同士が一部重なるように連結されているが、中間の連結部を介して円同士が繋がるように構成してもよい。また、葉部２０の形状は略円形に限らず、楕円形、三角形状、四角形状、ひし形、多角形その他の異形のものでも勿論よい。
【００２７】
鞘部３は、芯部２と中心軸が共通する同心円状の外形を有し、芯部２の周りを隙間なく包み込んだ形状であり、該鞘部３の存在によりフィラメントの断面形状としては略円形断面形状とされている。芯部２は多葉断面形状であり、鞘部３が無いと芯部２の外周面には葉部２０、２０間に凹部２３が現れるが、この凹部２３がフィラメント側面に露出していると歯ブラシに植毛して使用した際、汚れがたまり易い基端側では当該側面の凹部２３に汚れが溜まりやすく、衛生上好ましくない。本発明では鞘部３の存在により該芯部２の凹部２３がフィラメント先端部１０を除いて隠れているため、汚れの付着の心配がなく衛生上も好ましいものとなる。
【００２８】
本例では鞘部３の外形が円形とされているがこれに何ら限定されず、多角形形状など汚れが付着する可能性のある凹部がない形状であれば種々の形状を採用することができる。鞘部３のうち芯部２の葉部２０、２０間の凹部２３を囲む部分の肉厚は厚くなり、したがって鞘部３先端のテーパー部はこの部分が長く且つ細くなるが、あまりに細長いと剥がれやすくなるため、この部分の肉厚が厚くなりすぎない形状が好ましい。図１０の（ａ）は三角形状にしたもの、（ｂ）は四角形状にしたもの、（ｃ）は六角形状にしたもの、（ｄ）は三角形状の角部を芯部２の葉部外形に平行なＲ形状を付したものをそれぞれ例示しているが、いずれも図示しているとおり、上記した凹部２３を囲む部分の肉厚が厚くなりすぎないように多角形の角部がこの部分に位置しないように形成することが好ましい。
【００２９】
フィラメント先端部１０の分岐部４の高さは、図４（ａ）に示すように略同じ長さとなり、約１〜５ｍｍ程度が好ましい。鞘部３から露出した芯部２のすべてが分岐するのではなく、露出基端側の鞘部３との境界部分には分岐していない未分岐部２４が残存していることが毛腰強度及び裂け防止の点で好ましいが、本発明はこれに何ら限定されず、境界部分から分岐しているものでも勿論よい。これらは芯部２と鞘部３の合成樹脂の選定、溶解液の選定、浸漬時間、溶解液濃度、温度、またはフィラメント断面の直径や歯ブラシにおける毛丈（植毛長さ）等により各部の溶解速度を調整することにより適宜設定することが可能である。
【００３０】
次に、図６、７に基づき、本発明の第２実施形態について説明する。
【００３１】
本実施形態のフィラメント１は、図６（ｅ）のＩＸ−ＩＸ断面図に示すように、鞘部３中に
先端が分岐しない単葉断面の芯部２を複数互いに間隔を空けて配置させた芯鞘構造を有し、本例では同じ大きさ（断面積）の３つの円形断面の芯部２が均等配置され、鞘部３がこれらを隙間なく包み込み、全体として略円形の断面形状を有している。各芯部２は薬液溶解処理により先端側がテーパー状になるが分岐しない。しかしこれら芯部２が複数先端側に露出することで各芯部２自体がほぼ同一高さの分岐部４として機能することとなる。分岐部４を形成する方法は、第１実施形態と同様であり、薬液溶解速度が芯部２よりも鞘部３の方が速いため徐々に芯部２が先端側に露出して分岐部４（分岐毛）となる。芯部２よりなる分岐部４は同じく先鋭なテーパー状に形成され、鞘部３の端部も同じくテーパー状に形成される。芯部２の合成樹脂と鞘部３の合成樹脂についても、第１実施形態と同様、各種の組み合わせが採用できる。
【００３２】
ほぼ同一長さの複数の分岐部４を形成する芯部２は、本例のように３つからなるものに何ら限定されず、例えば図７（ａ）〜（ｃ）に示すように芯部２が２つ又は３つ以上のものでもよく、特に（ｃ）に示すように断面形状が異なる大きさ（断面積）の芯部２を組み合わせ、比較的大きな断面形状の芯部２から太く長い分岐部４を形成し、かつ比較的小さな断面形状の芯部２により細く短い分岐部４を形成してなるものも好ましい実施例である。各芯部２の形状は略円形に限らず、楕円形、三角形状、四角形状、ひし形、多角形その他の異形のものでも勿論よい。また、鞘部３の外形も円形に限らず、多角形形状など種々の形状を採用することができる。その他の構成については上記第１実施形態と基本的に同じであり、同一構造については同一符号を付してその説明を省略する。
【００３３】
次に、図８〜１１に基づき、本発明の第３実施形態について説明する。
【００３４】
本実施形態のフィラメント１は、図８（ｄ）のＸＩＩ−ＸＩＩ断面図に示すように、芯部２
の断面形状が特定の葉部２１の周りに断面形状の大きさ（断面積）の異なる複数の側設葉部２２が連結した多葉形であり、その周囲を囲むように鞘部３が設けられ、全体として略円形の断面形状を有している。より詳しくは、芯部２の断面形状は中心部に比較的断面形状の大きい特定葉部２１を有し、その周りに比較的小さい断面形状の側設葉部２２が均等に４つ配置された形である。分岐部４を形成する方法は、第１実施形態と同様であり、薬液溶解速度が芯部２よりも鞘部３の方が速いため徐々に芯部２が先端側に露出して分岐部４（分岐毛）となる。芯部２の合成樹脂と鞘部３の合成樹脂についても、第１実施形態と同様、各種の組み合わせが採用できる。本実施形態においても鞘部３から露出した芯部２のすべてが分岐しているのではなく、露出基端側の鞘部３との境界部分には分岐していない未分岐部２４が残存していることが毛腰強度及び裂け防止の点で好ましい。
【００３５】
本例のような大きさの異なる特定葉部２１と側設葉部２２よりなる多葉形断面の芯部２は、図８（ａ），（ｂ）に示すように薬液溶解処理により鞘部３から露出する先端側が各葉部２１、２２ごとに分岐し、特定葉部２１よりなる比較的長く太い１つの分岐部４を中心としてその周囲に側設葉部２２よりなる比較的短く細い４つの分岐部４がフィラメント先端部１０に形成されることとなる。このようにフィラメント先端部１０のテーパー状先端分岐部４の長さが異なると、歯ブラシとして使用した際、毛先が歯牙表面に留まることなく、長い分岐部４が歯間や臼歯頂部の深い窪みや歯周ポケットなどへ進入して刷掃する一方、短い分岐部４は歯牙表面とその凹凸部などを刷掃し、複雑な凹凸や隙間が混在する歯列と歯牙表面をすべて余すところ無く刷掃することができる。
【００３６】
芯部２の多葉形断面を構成する特定葉部２１と側設葉部２２の形態については、本例のように４つの側設葉部２２を均等配置するものに何ら限定されず、例えば図９（ａ）、（ｂ）に示すように側設葉部２２を３つ又は２つ均等配置したものや５つ以上設けることもでき、（ｃ）に示すように側設葉部２２を偏った位置に配置してもよい。また、（ｄ）に示すように側設葉部２２を複数設けるのではなく１つのみ設けるものでもよい。更に、図９（ｅ）〜（ｇ）に示すように、特定葉部２１を比較的小さい断面形状（断面積）とし、その周りに比較的大きい断面形状の側設葉部２２を接合部６を介して独立に配置したものでもよい。これによれば、フィラメント先端部１０に特定葉部２１よりなる比較的短く細い分岐部４とその周囲に比較的長く太い分岐部４を形成することができる。ここでも芯部２は多葉断面形状であり、鞘部３が無いと芯部２の外周面には特定葉部２１と側設葉部２２の間、または側設葉部２２同士の間に凹部２３が現れるが、鞘部３の存在によりこれら凹部２３がフィラメント先端部１０を除いて隠れているため、汚れの付着の心配がなく衛生上も好ましいものとなる。
【００３７】
本例ではいずれも特定葉部２１、側設葉部２２がいずれも略円形で、互いに円同士が一部重なるように連結されているが、第１実施形態と同様、中間の連結部を介して円同士が繋がるように構成してもよい。また、特定葉部２１、側設葉部２２の形状は略円形に限らず、楕円形、三角形状、四角形状、ひし形、多角形その他の異形のものでも勿論よい。更には、各側設葉部２２の断面形状も互いに異なる大きさ（断面積）とし、当該側設葉部２２よりなる各分岐部４の長さを互いに異なるものとすることもできる。
【００３８】
また、鞘部３の外形も円形に限らず、第１実施形態と同様、多角形形状など種々の形状を採用することができる。図１０（ｅ）は長方形状にしたもの、（ｆ）はひし形状にしたもの、図１１は扇形状にしたものをそれぞれ例示しているが、いずれも凹部２３を囲む部分の肉厚が厚くなりすぎないように多角形の角部がこの部分に位置しないように形成することが好ましい。上記各例のとおり鞘部３の肉厚ができるだけ同じ程度になるように鞘部外形形状が設定されているのである。例えば図１１のように扇形状にして芯部２の周囲の肉厚を同じ程度にすれば、図中（ａ）のとおり凹部２３に対応する鞘部３先端のテーパー部は特別長くなることなく剥がれ等の心配も殆どない安定したものとなることが分かる。また、鞘部３の外形は芯部２と略同一形状とすることもできる。このとき、鞘部３の外形に形成される凹部は汚れが付着しない程度であることが好ましい。その他の構成については上記第１実施形態と基本的に同じであり、同一構造については同一符号を付してその説明を省略する。
【００３９】
以上本発明の実施形態について説明したが、本発明はこうした実施例に何ら限定されるものではなく、本発明の要旨を逸脱しない範囲において種々なる形態で実施し得ることは勿論である。
【図面の簡単な説明】
【００４０】
【図１】本発明の第１実施形態に係るフィラメントを植設した歯ブラシを示す説明図。
【図２】同じく歯ブラシの先端植毛部の拡大説明図。
【図３】同じく歯ブラシ用フィラメントの説明図。
【図４】（ａ）は同じく歯ブラシ用フィラメントの先端部を示す説明図であり、（ｂ）はそのＩ−Ｉ断面図、（ｃ）はＩＩ−ＩＩ断面図、（ｄ）はＩＩＩ−ＩＩＩ断面図、（ｅ）はＩＶ−ＩＶ断面図、（ｆ）はＶ−Ｖ断面図。
【図５】（ａ）〜（ｄ）は同じく歯ブラシ用フィラメントの変形例を示す断面図。
【図６】（ａ）は本発明の第２実施形態に係る歯ブラシ用フィラメントを示す説明図であり、（ｂ）はそのＶＩ−ＶＩ断面図、（ｃ）はＶＩＩ−ＶＩＩ断面図、（ｄ）はＶＩＩＩ−ＶＩＩＩ断面図、（ｅ）はＩＸ−ＩＸ断面図。
【図７】（ａ）〜（ｃ）は同じく歯ブラシ用フィラメントの変形例を示す断面図。
【図８】（ａ）は本発明の第３実施形態に係る歯ブラシ用フィラメントを示す説明図であり、（ｂ）はそのＸ−Ｘ断面図、（ｃ）はＸＩ−ＸＩ断面図、（ｄ）はＸＩＩ−ＸＩＩ断面図。
【図９】（ａ）〜（ｇ）は同じく歯ブラシ用フィラメントの変形例を示す断面図。
【図１０】（ａ）〜（ｆ）は同じく歯ブラシ用フィラメントの他の変形例を示す断面図。
【図１１】（ａ）は同じく歯ブラシ用フィラメントの更に他の変形例を示す説明図であり、（ｂ）はそのＸＩＩＩ−ＸＩＩＩ断面図、（ｃ）はＸＩＶ−ＸＩＶ断面図。
【符号の説明】
【００４１】
Ｈ  毛丈
Ｌ  寸法
１  フィラメント
２，２Ａ，２Ｂ  芯部
３  鞘部
４  分岐部
５  歯ブラシ
６  接合部
１０  先端部
２０  葉部
２１  特定葉部
２２  側設葉部
２３  凹部
２４  未分岐部
５０  柄
５１  植毛部
【図１】
2010082094.tif 000003
【図２】
2010082094.tif 000004
【図３】
2010082094.tif 000005
【図４】
2010082094.tif 000006
【図５】
2010082094.tif 000007
【図６】
2010082094.tif 000008
【図７】
2010082094.tif 000009
【図８】
2010082094.tif 000010
【図９】
2010082094.tif 000011
【図１０】
2010082094.tif 000012
【図１１】
2010082094.tif 000013